(57)【特許請求の範囲】
【請求項１】
正極(1)と負極(2)とを内蔵する電離槽(3)と、正極(1)と負極(2)とに直流を印加する電源(4)と、電離槽(3)を通過する水の流量を検出する流量センサー(5)と、電離槽(3)に設けた負極(2)の近傍を通過して排出されるアルカリ水のｐＨを演算して表示する演算表示器(6)とを備える電解水の発生装置において、
電源(4)が、電離槽(3)に水を流入させる状態で、正極(1)と負極(2)との間に定電流の電解電流を流す定電流回路(4A)を内蔵しており、
演算表示器(6)は、電離槽(3)に定電流を流す状態として、電離槽(3)の水の流量に対するアルカリ水のｐＨを演算する、単一の流量−ｐＨ関数ｙ＝ｆ（ｘ）（ただし、ｘは流量、ｙはｐＨ）を記憶している記憶手段(6A)と、
記憶手段(6A)の流量−ｐＨ関数ｙ＝ｆ（ｘ）から演算されるｐＨ値を、電離槽(3)に流入される水のｐＨによって補正する演算手段(6B)とを備えており、
電離槽(3)に水が流入される状態で、電源(4)が電離槽(3)の正極(1)と負極(2)に、定電流で電解電流を流し、この状態で電離槽(3)を通過する水の流量を流量センサー(5)で検出して、流量から流量−ｐＨ関数ｙ＝ｆ（ｘ）でアルカリ水のｐＨを演算し、演算されたｐＨ値に、演算手段(6B)でもって、電離槽(3)に流入する水の補正ｐＨを加算して表示するように構成してなることを特徴とする電解水の発生装置。
【請求項２】
流量−ｐＨ関数ｙ＝ｆ（ｘ）がｙ＝ａ1ｘ＋ｂ1（ただし、ａ1、ｂ1は定数である。）で表される一次関数である請求項１に記載される電解水の発生装置。
【請求項３】
正極(1)と負極(2)とを内蔵する電離槽(3)と、正極(1)と負極(2)とに直流を印加する電源(4)と、電離槽(3)を通過する水の流量を検出する流量センサー(5)と、電離槽(3)に設けた負極(2)の近傍を通過して排出されるアルカリ水のｐＨを表示する演算表示器(6)とを備える電解水の発生装置において、電源(4)が、正極(1)と負極(2)との間に流れる電解電流を制御する電流制御回路(4B)を内蔵しており、
演算表示器(6)は、電離槽(3)から排出されるアルカリ水のｐＨを設定する設定手段(6C)と、設定手段(6C)で設定されたｐＨ値とする、流量に対する電流の関数、流量−電流関数Ｉ＝ｆ（ｘ）（ただし、ｘは流量、Ｉは電流）を記憶している記憶手段(6A)とを備えており、
設定手段(6C)でもって、電離槽(3)から排出されるアルカリ水のｐＨが設定されて、電離槽(3)に水が流入されると、電離槽(3)を通過する水の流量が流量センサー(5)で検出され、検出された流量から流量−電流関数Ｉ＝ｆ（ｘ）で電離槽(3)に流す電解電流を演算し、電源(4)の電流制御回路(4B)が、この電流値になるように、電離槽(3)の電解電流を制御するように構成されてなることを特徴とする電解水の発生装置。
【請求項４】
流量−電流関数Ｉ＝ｆ（ｘ）がＩ＝ａ2ｘ＋ｂ2（ただしａ2、ｂ2は定数である。）で表される一次関数である請求項３に記載される電解水の発生装置。
【発明の詳細な説明】
【０００１】
【発明の属する技術分野】
本発明は、水を電解してアルカリ水と酸性水とに電解する電解水の発生装置に関する。
【０００２】
【従来の技術】
水道水を電気分解して、アルカリ水と酸性水とに電解する装置はすでに使用されている。この装置は、正極の近傍に酸性水を、負極の近傍にアルカリ水を集めることができる。このため、電極の近傍から排水することで、アルカリ水と酸性水とを排水できる。この種の装置は、アルカリ水を飲料水に使用し、酸性水を殺菌効果のある水として使用する。アルカリ水と酸性水のｐＨは、プラス、マイナスの電極間に流れる電流と、電離槽を通過する水の流量とに影響を受ける。流量が一定で、電極間の電流が増加すると、アルカリ水のｐＨが高くなる。電流が一定で、流量が少なくなるとアルカリ水のｐＨが高くなる。
【０００３】
【発明が解決しようとする課題】
したがって、電解水の発生装置は、電離槽に流す流量と電流を制御して、排出されるアルカリ水のｐＨを調整できる。たとえば、ｐＨの高いアルカリ水を排出させるには、電離槽を通過する水の流量を少なくすればよい。また、電離槽の電流を大きくしても、アルカリ水のｐＨは高くなる。
【０００４】
ところで、アルカリ水のｐＨを変更できる装置は、排出されるアルカリ水のｐＨを表示して便利に使用できる。ｐＨが調整できる装置は、実際に排出されるアルカリ水のｐＨを表示できないと、使用者は安心して便利に使えない。
【０００５】
アルカリ水のｐＨは、水のｐＨを測定するｐＨメーターを内蔵させることで正確に表示できる。しかしながら、ｐＨメーターは、高価であるばかりでなく、メンテナンスに手間がかかるので、メンテナンスフリーな状態では、長期間にわたって、正確にｐＨを表示させることができない。
【０００６】
電離槽から排出されるアルカリ水のｐＨは、以下の計算式で演算できるので、この計算式のパラメーターを測定してｐＨを演算できる。
ｐＨ＝−ｌｏｇ（１０-7−Ｉ（Ｗ×Ｆ））
ただし、この式において、Ｉは電離槽に流れる電解電流、Ｗは電離槽の流量、Ｆはファラデー定数である。
【０００７】
アルカリ水のｐＨは、理論的にはこの計算式で演算できる。しかしながら、実際に排出されるアルカリ水のｐＨは、電離槽の電流や水の流量のみでなく、他の種々の外的な環境で変動する。たとえば、電離槽に流入する水の水質、電離槽の電極構造、さらに、電離槽の正極と負極の近傍で電解されたアルカリ水と酸性水をどのような状態で混合しないようにして排出できるかなどの構造的な違いが、計算されたｐＨ値に誤差を与える。したがって、前記の計算式ではｐＨを正確に表示できない。さらに、前記の計算は、対数の計算であるために、簡単にできない欠点もある。
【０００８】
この欠点は、たとえば、特開平１０−１１８６５２号公報に記載されるように、あらかじめ、水道水の地域別に、電解強度−電解水ｐＨデーターを、複数に登録する方式で解消できる。この装置は、実際に使用する消費者の水道水にあわせて、登録している電解強度−電解水ｐＨデーターを選択して、ｐＨを表示できる。ただ、この構造の電解水の発生装置は、登録している電解強度−電解水ｐＨデーターに近い水質においては、ｐＨを正確に表示できるが、近似する水質でない水道水で使用されると、正確にｐＨを表示できなくなる欠点がある。この弊害は、登録している電解強度−電解水ｐＨデーターを多くして少なくできるが、多くの電解強度−電解水ｐＨデーターを登録するには、大容量の記憶手段を使用し、さらに、多数の電解強度−電解水ｐＨデーターを登録する必要があって、コストが高くなる欠点がある。
【０００９】
本発明は、さらにこのような欠点を解決することを目的に開発されたものである。本発明の第一の重要な目的は、簡単な構造でｐＨをより正確に表示できる電解水の発生装置を提供することにある。
【００１０】
さらに、本発明の第二の大切な目的は、簡単な構造で、設定されたｐＨのアルカリ水を排出できる電解水の発生装置を提供することにある。
【００１１】
【課題を解決するための手段】
本発明の請求項１の電解水の発生装置は、正極１と負極２とを内蔵する電離槽３と、正極１と負極２とに直流を印加する電源４と、電離槽３を通過する水の流量を検出する流量センサー５と、電離槽３に設けた負極２の近傍を通過して排出されるアルカリ水のｐＨを演算して表示する演算表示器６とを備える。
【００１２】
電源４は、電離槽３に水を流入させる状態で、正極１と負極２との間に定電流の電解電流を流す定電流回路４Ａを内蔵している。演算表示器６は、電離槽３に定電流を流す状態として、電離槽３の水の流量に対するアルカリ水のｐＨを演算する、流量−ｐＨ関数ｙ＝ｆ（ｘ）を記憶している記憶手段６Ａと、記憶手段６Ａの流量−ｐＨ関数ｙ＝ｆ（ｘ）から演算されるｐＨ値を、電離槽３に流入される水のｐＨによって補正する演算手段６Ｂとを備えている。流量−ｐＨ関数ｙ＝ｆ（ｘ）から演算されたｐＨ値は、演算手段６Ｂで補正されるので、記憶手段６Ａは複数の流量−ｐＨ関数ｙ＝ｆ（ｘ）を記憶する必要はない。記憶手段６Ａは、単一の流量−ｐＨ関数ｙ＝ｆ（ｘ）を記憶している。
【００１３】
電離槽３に水を流入させる状態で、電源４は、電離槽３の正極１と負極２に、定電流で電解電流を流す。このとき、電離槽３を通過する水の流量は流量センサー５で検出される。検出された流量から、流量−ｐＨ関数ｙ＝ｆ（ｘ）の関数にしたがって、アルカリ水のｐＨが演算される。この関数において、ｘは流量を、ｙはｐＨを示している。さらに、演算されたｐＨ値は、演算手段６Ｂでもって、電離槽３に流入する水の補正ｐＨが加算して補正され、補正されたｐＨが表示される。
【００１４】
本発明の請求項２の電解水の発生装置は、流量−ｐＨ関数ｙ＝ｆ（ｘ）を、
ｙ＝ａ1ｘ＋ｂ1（ただし、ａ1、ｂ1は定数である。）で表される一次関数として記憶している。
【００１５】
本発明の請求項３の電解水の発生装置は、正極１と負極２とを内蔵する電離槽３と、正極１と負極２とに直流を印加する電源４と、電離槽３を通過する水の流量を検出する流量センサー５と、電離槽３の負極２の近傍を通過して排出されるアルカリ水のｐＨを表示する演算表示器６とを備える。
【００１６】
電源４は、正極１と負極２との間に流れる電解電流を制御する電流制御回路４Ｂを内蔵している。演算表示器６は、電離槽３から排出されるアルカリ水のｐＨを設定する設定手段６Ｃと、設定手段６Ｃで設定されたｐＨ値における、流量に対する電流値である流量−電流関数Ｉ＝ｆ（ｘ）を記憶している記憶手段６Ａとを備えている。この関数において、ｘは流量を、Ｉは電流を示している。
【００１７】
設定手段６Ｃで、電離槽３から排出されるアルカリ水のｐＨを設定する。この状態で、電離槽３に水を流入させると、電離槽３を通過する水の流量が流量センサー５で検出される。検出された流量から、流量−電流関数Ｉ＝ｆ（ｘ）に基づいて、電離槽３に流す電解電流が演算される。電源４の電流制御回路４Ｂは、演算された電解電流になるように、電離槽３の正極１と負極２間の電流を制御する。
【００１８】
本発明の請求項４の電解水の発生装置は、流量−電流関数Ｉ＝ｆ（ｘ）を
Ｉ＝ａ2ｘ＋ｂ2（ただしａ2、ｂ2は定数である。）で表される一次関数として記憶している。
【００１９】
【発明の実施の形態】
以下、本発明の実施例を図面に基づいて説明する。ただし、以下に示す実施例は、本発明の技術思想を具体化するための電解水の発生装置を例示するものであって、本発明は電解水の発生装置を下記のものに特定しない。
【００２０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２１】
図１に示す洗浄手段を有する電解水の発生装置は、フィルター９と、電離槽３と、電源４と、流量センサー５と、演算表示器６とを備えている。
【００２２】
フィルター９は、供給された水道水を濾過材で濾過して、水に含まれている塩素等の悪臭成分や、異物を除去する。フィルター９は、カートリッジケースに濾過材を充填している。濾過材には、水を清澄に濾過すると共に、臭い成分を除去できる全てのもの、例えば、活性炭、多孔性の天然石、多孔性天然石を粉砕して粒状に焼結したもの等、吸着能力に優れた粒体を使用することができる。濾過材である粒体には、例えば平均粒子径が１〜１０ｍｍφのものが使用される。
【００２３】
電離槽３は、フィルター９を通過した水を電解して、プラスのイオンを含むアルカリ水と、マイナスのイオンを含む酸性水とに分離する。電離槽３で電離された電解水は、アルカリ水排水路と酸性水排水路から排水される。電離槽３は、流入する水から酸性水を得る正極１と、アルカリ水を得る負極２とを備えている。
【００２４】
正極１と負極２は、互いに対向して配設される。電極のプラス側に設定される正極１は、水を電解するときに、塩素イオン等のマイナスイオンが集まり、負極２はカルシウム等のプラスイオンが集まる。正極１は、塩素イオンに対して充分な耐腐食性の材質が使用される。正極１には、例えば、チタンの表面を、二酸化イリジウムでコーティングしたものを使用する。
【００２５】
電離槽３で電解される、アルカリ水と酸性水のイオン濃度、すなわち、ｐＨは、電極間の電解電流と流量をパラメターとする。電解電流を一定として、電離槽３の流量を少なくすると、アルカリ水のｐＨは高くなり、反対に流量を多くすると、アルカリ水のｐＨは低下する。アルカリ水と酸性水のｐＨは、電離槽３の電解電流によっても変化し、電解電流は、電極間の電圧にほぼ比例して大きくなる。
【００２６】
正極１と負極２の間には、絶縁材である多孔板７を配設している。多孔板７は、正極１と負極２の近傍で分離された、アルカリ水と酸性水とが混合するのを防止し、また、正極１と負極２とが接触してショートするのを防止する。
【００２７】
電離槽３から流出されるアルカリ水と酸性水とは、両方を別々に排出する。一方の電解水のみを排水すると、他方の電解水濃度が次第に高くなる。従って、アルカリ水と酸性水の何れか片方のみを排出するのは好ましくない。
【００２８】
電源４は、電離槽３に水を流入させる状態で、正極１と負極２との間に定電流の電解電流を流す定電流回路４Ａを内蔵している。定電流回路４Ａは、正極１と負極２との間に設定された電解電流を流す。たとえば、定電流回路４Ａは、強電解モードにおいて、正極１と負極２とに４〜８Ａの決められた電解電流を流す。定電流回路４Ａが正極１と負極２に流す電解電流は、大きくするとアルカリ水のｐＨは高くなり、反対に小さくするとアルカリ水のｐＨは低くなる。たとえば、定電流回路４Ａは４．５Ａの電解電流を正極１と負極２との間に流すように設定する。定電流回路４Ａは、電離槽３に流入する水の流量や水のｐＨによっても、電解電流が変動しないように、正極１と負極２とに印加する電圧を制御する。
【００２９】
演算表示器６は、電離槽３の流量に対するアルカリ水のｐＨを演算する、流量−ｐＨ関数であるｙ＝ｆ（ｘ）を記憶している記憶手段６Ａと、記憶手段６Ａの流量−ｐＨ関数ｙ＝ｆ（ｘ）から演算されるｐＨ値を、電離槽３に流入される水の補正ｐＨを加算して正する演算手段６Ｂとを備えている。
【００３０】
記憶手段６Ａは、流量−ｐＨ関数であるｙ＝ｆ（ｘ）を、ｙ＝ａ1ｘ＋ｂ1で表される一次関数として記憶している。ただし、この式において、ａ1とｂ1は定数、ｘは流量、ｙはｐＨ値である。記憶手段６Ａは、複数の流量−ｐＨ関数ｙ＝ｆ（ｘ）を記憶しない。記憶される流量−ｐＨ関数ｙ＝ｆ（ｘ）は、ひとつである。定電流回路４Ａの設定電流を４．５Ａに設定する装置は、図２に示すように、流量−ｐＨ関数におけるａ1とｂ1の値を、ａ1＝−１／１１、ｂ1＝１１１．５／１１に設定する。流量−ｐＨ関数におけるａ1とｂ1の値は、定電流回路４Ａの流量値で最適な値に設定される。
【００３１】
演算手段６Ｂは、記憶手段６Ａに記憶される、流量−ｐＨ関数であるｙ＝ｆ（ｘ）から演算される演算ｐＨ値に、補正ｐＨを加算して補正し、補正されたｐＨ値を表示する。補正ｐＨは、電離槽３に流入する水の水質で決定する。補正ｐＨは、−０．５〜＋０．５の範囲で特定された値とする。簡単な装置は、補正ｐＨを、電離槽３の流量に関係なく一定の数値とする。ただ、補正ｐＨを流量によって変化させることもできる。
【００３２】
補正ｐＨは、電解水の発生装置を最初に設置したときに、特定の流量でアルカリ水を排出して決定する。補正ｐＨは、流量−ｐＨ関数ｙ＝ｆ（ｘ）から計算されるｐＨと、実際に排出されるアルカリ水のｐＨとの差とする。たとえば、前述の流量−ｐＨ関数ｙ＝ｆ（ｘ）において、毎分１．５リットルのアルカリ水が排出されると、演算ｐＨ値は１０となる。この状態で、電解水の発生装置から排水されるアルカリ水のｐＨを実際に測定して、測定したｐＨ値が１０．２であると、補正ｐＨは０．２とする。補正ｐＨは、変更しない定数であるので、演算手段６Ｂは、流量−ｐＨ関数ｙ＝ｆ（ｘ）から演算された演算ｐＨ値に、常に補正ｐＨである０．２を加算して表示する。
【００３３】
ただ、補正ｐＨは、電解水の発生装置を最初に設置したときに、電離槽３に流入される水のｐＨを測定して決定することもできる。この装置は、補正ｐＨを、流入する水のｐＨと、中性水のｐＨ値である”７”との差とする。たとえば、流入する水のｐＨ値が”７．５”の場合には、補正ｐＨを、＋０．５とする。補正ｐＨは、変更しない定数であるので、演算手段６Ｂは、流量−ｐＨ関数ｙ＝ｆ（ｘ）から演算された演算ｐＨ値に、常に補正ｐＨである０．５を加算して表示する。
【００３４】
補正ｐＨは、流量で変化させる定数とすることもできる。この装置は、流量を変化させて排出されるアルカリ水のｐＨを実測し、実測されたｐＨ値と、演算ｐＨ値とを比較して、各流量における補正ｐＨを決定する。この場合、必ずしも、全ての流量でアルカリ水のｐＨを実測する必要はない。最大流量と最低流量において、アルカリ水のｐＨを実測し、また、流量−ｐＨ関数ｙ＝ｆ（ｘ）から演算ｐＨ値を演算し、その差から最大流量における補正ｐＨと、最小流量における補正ｐＨを決定し、その中間の流量における補正ｐＨは、一次関数で演算する。
【００３５】
流量センサー５は、電離槽３を通過する水の流量を測定する。流量センサー５は、水の流量を測定して電気信号を出力する全てのセンサーが使用できる。たとえば、流量センサー５は、水が流れると通過する水の流量に比例してローターを回転させ、ローターの回転を電気信号に変換して出力するセンサーが使用できる。この流量センサー５は、１分間に回転するローターの回転数で、電離槽３を通過する水の流量を検出できる。
【００３６】
図１に示す発生装置は、流入側に開閉弁８を設けている。開閉弁８の開度を調整すると、電離槽３に流入する水の流量が変化する。開閉弁８を完全に開くと、電離槽３を通過する水の流量は多くなってアルカリ水のｐＨは低下し、絞ると水の流量が少なくなってアルカリ水のｐＨは高くなる。
【００３７】
流量センサー５は、電離槽３に水が流れないときに、電極に電圧を印加しない安全回路にも併用される。この装置は、流量センサー５で、電源４のオンオフを制御する。流量センサー５は、電離槽３に水が流入されることを検出するときにかぎって、正極１と負極２に電圧を印加する。電離槽３に水が流入されないことを検出すると、電源４の出力をオフ状態として、出力電圧を０Ｖとする。
【００３８】
この図の装置は、開閉弁８が開かれて、電離槽３に水が流入される状態になると、このことが流量センサー５に検出されて、電源４が電離槽３の正極１と負極２に、定電流で電解電流を流す。この状態で、電離槽３を通過する水の流量が流量センサー５で検出される。流量センサー５で検出された流量から、演算手段６Ｂは、記憶手段６Ａに記憶している流量−ｐＨ関数であるｙ＝ｆ（ｘ）にもとづいて、アルカリ水のｐＨを演算する。さらに、演算手段６Ｂは、演算された演算ｐＨ値に、補正ｐＨを加算して、アルカリ水の正確なｐＨを表示する。
【００３９】
使用者は、排出されるアルカリ水のｐＨを変化させるときに、開閉弁８の開度を調整する。開閉弁８を絞って流量を少なくすると、電離槽３から排出されるアルカリ水のｐＨは高くなる。演算手段６Ｂは、少なくなった流量から演算ｐＨ値を演算し、演算ｐＨ値を補正してアルカリ水のｐＨとして表示する。以上の電解水の発生装置は、開閉弁８の開度を調整して、排出されるアルカリ水のｐＨを変化させる。
【００４０】
図３は、設定したｐＨのアルカリ水を排出できる電解水の発生装置を示す。この装置は、電離槽３を通過する水の流量が変化しても、排出されるアルカリ水のｐＨを一定に制御する。
【００４１】
この図に示す電解水の発生装置は、図１の装置と同じように、フィルター９と、電離槽３と、電源４と、流量センサー５と、演算表示器６とを備えている。フィルター９と電離槽３と、開閉弁８は、図１の装置と同じである。
【００４２】
電源４は、電離槽３に水を流入させる状態で、正極１と負極２との間に、流量によって電流を変化させる電流制御回路４Ｂを内蔵している。電流制御回路４Ｂは、演算手段６Ｂに制御されて、排出されるアルカリ水のｐＨが一定になるように、電解電流を変化させる。たとえば、電流制御回路４Ｂは、アルカリ水のｐＨを９．５に設定する強飲用モードにおいて、２〜３Ａに制御された電解電流を流す。アルカリ水のｐＨを９．０に設定する弱飲用モードにおいては、１〜１．２Ａに制御された電解電流を流す。
【００４３】
電流制御回路４Ｂは、正極１と負極２に流す電解電流を、電離槽３の水の流量によって変化させる。排出されるアルカリ水のｐＨを同じに調整するためである。電流制御回路４Ｂは、電離槽３の水の流量が多いときに電解電流を大きく、反対に流量が少ないときに電解電流を小さく制御する。好ましくは、電流制御回路４Ｂは、電離槽３の水の流量を６リットル／分とするときには、電解電流を３Ａとし、流量を１．５リットル／分とするときに、電解電流を２Ａとする。
【００４４】
演算表示器６は、電離槽３から排出されるアルカリ水のｐＨを設定する設定手段６Ｃと、設定手段６Ｃで設定されたｐＨ値にするために、流量に対する電流値の関数として、流量−電流関数Ｉ＝ｆ（ｘ）を記憶している記憶手段６Ａとを備えている。
【００４５】
設定手段６Ｃは、強飲用モードと、弱飲用モードに制御するスイッチを備えている。強飲用モードは、アルカリ水のｐＨを９．５とし、弱飲用モードはアルカリ水のｐＨを９．０に設定する。設定されたアルカリ水のｐＨは、演算手段６Ｂでデジタル表示される。
【００４６】
記憶手段６Ａは、流量−電流関数であるＩ＝ｆ（ｘ）を、Ｉ＝ａ2ｘ＋ｂ2とする一次関数として記憶している。ただし、この式において、ａ2とｂ2は定数、ｘは流量、Ｉは電流値である。記憶手段６Ａは、強飲用モードと弱飲用モードに対応する流量−電流関数Ｉ＝ｆ（ｘ）を記憶している。強飲用モードに対応する流量−電流関数を図４に、弱飲用モードに対応する流量−電流関数Ｉ＝ｆ（ｘ）を図５に示す。
【００４７】
図４に示す強飲用モードの流量−電流関数Ｉ＝ａ2ｘ＋ｂ2は、ａ2を１／４．５として、ｂ2を７．５／４．５としている。図５に示す弱飲用モードの流量−電流関数Ｉ＝ａ2ｘ＋ｂ2は、ａ2を０．２／４．５として、ｂ2を４．２／４．５としている。
【００４８】
演算手段６Ｂは、流量センサー５から入力される流量ｘをパラメターとして、記憶手段６Ａに記憶される、流量−ｐＨ関数Ｉ＝ａ2ｘ＋ｂ2から電解電流を演算し、この電解電流となるように、電流制御回路４Ｂを制御する。演算手段６Ｂは、飲用モードによって、流量−ｐＨ関数Ｉ＝ａ2ｘ＋ｂ2を選択し、選択された流量−電流関数で電解電流を演算する。したがって、設定手段６Ｃが強飲用モードに設定されると、図４に示す流量−電流関数Ｉ＝ｆ（ｘ）から電解電流を演算し、弱飲用モードが設定されると、図５に示す流量−電流関数Ｉ＝ｆ（ｘ）から電解電流を演算する。
【００４９】
図３に示す発生装置は、流入側に設けた開閉弁８で電離槽３に流入する水の流量を変化させても、排出されるアルカリ水のｐＨは変化しない。それは、電離槽３の水の流量が変化すると、流量が流量センサー５で検出され、検出された流量から電解電流を演算し、演算された電解電流となるように、電流制御回路４Ｂが正極１と負極２間の電解電流を制御するからである。
【００５０】
たとえば、設定手段６Ｃを強飲用モードに設定する状態で、電離槽３を通過する水の流量が変化すると、演算手段６Ｂは、記憶手段６Ａに記憶される図４の流量−電流関数Ｉ＝ｆ（ｘ）から電解電流を演算する。演算された電解電流となるように、電流制御回路４Ｂが正極１と負極２間の電圧を制御する。このため、電離槽３の流量が変化しても、排出されるアルカリ水のｐＨが一定に保持される。設定手段６Ｃが弱飲用モードに設定されるときには、図５に示す流量−電流関数Ｉ＝ｆ（ｘ）にもとづいて、演算手段６Ｂが電解電流を演算し、この電解電流となるように電流制御回路４Ｂで電離槽３の電解電流を制御するので、排出されるアルカリ水のｐＨは、弱飲用モードで設定されたｐＨとなる。
【００５１】
【発明の効果】
本発明の請求項１の電解水の発生装置は、簡単な構造で、排出されるアルカリ水のｐＨを正確に表示できる特長がある。とくに、ｐＨが異なる水を電解して、アルカリ水のｐＨを正確に表示できる特長がある。それは、本発明の電解水の発生装置が、ｐＨメーターを使用してアルカリ水のｐＨを測定して表示するのではなく、また、多数の電解強度−電解水ｐＨデーターを記憶させてｐＨを演算して表示するのでもなく、水質に関係なく、単一の流量−ｐＨ関数ｙ＝ｆ（ｘ）でｐＨを演算し、演算したｐＨを補正して表示するからである。
【００５２】
さらに、本発明の請求項３の電解水の発生装置は、簡単な構造で、設定されたｐＨのアルカリ水を排出できる特長がある。それは、電解水の発生装置が、設定手段でアルカリ水のｐＨを設定し、電離槽に水を流入される水の流量を流量センサーで検出し、検出された流量から、記憶手段に記憶している流量−電流関数Ｉ＝ｆ（ｘ）に基づいて電解電流を演算し、この電流値になるように、電離槽の電解電流を電源の電流制御回路で制御するように構成しているからである。
【図面の簡単な説明】
【図１】本発明の実施例の電解水の発生装置を示す概略ブロック図
【図２】図１の発生装置の記憶手段に記憶される流量−ｐＨ関数ｙ＝ｆ（ｘ）を示すグラフ
【図３】本発明の他の実施例の電解水の発生装置を示す概略ブロック図
【図４】図３に示す発生装置の記憶手段に記憶される強飲用モードに対応する流量−電流関数Ｉ＝ｆ（ｘ）を示すグラフ
【図５】図３に示す発生装置の記憶手段に記憶される弱飲用モードに対応する流量−電流関数Ｉ＝ｆ（ｘ）を示すグラフ
【符号の説明】
１…正極
２…負極
３…電離槽
４…電源            ４Ａ…定電流回路      ４Ｂ…電流制御回路
５…流量センサー
６…演算表示器      ６Ａ…記憶手段        ６Ｂ…演算手段
６Ｃ…設定手段
７…多孔板
８…開閉弁
９…フィルター
【図１】
0003947798.tif 000002
【図２】
0003947798.tif 000003
【図３】
0003947798.tif 000004
【図４】
0003947798.tif 000005
【図５】
0003947798.tif 000006